【手続補正書】
【提出日】平成15年11月12日(2003.11.12)
【手続補正１】
【補正対象書類名】明細書
【補正対象項目名】発明の名称
【補正方法】変更
【補正の内容】
【発明の名称】弱酸性の塩素系殺菌水、同殺菌水の製造方法および製造装置
【手続補正２】
【補正対象書類名】明細書
【補正対象項目名】特許請求の範囲
【補正方法】変更
【補正の内容】
【特許請求の範囲】
【請求項１】
塩素を有効成分とする弱酸性の塩素系殺菌水の製造方法であり、食塩水を被電解水として無隔膜電解するのに先だって、炭酸ガスを使用して前記被電解水のｐＨを調整し、ｐＨ調整された被電解水を無隔膜電解することを特徴する弱酸性の塩素系殺菌水の製造方法。
【請求項２】
塩素を有効成分とする弱酸性の塩素系殺菌水の製造方法であり、食塩水を被電解水とする無隔膜電解にて生成された電解生成水を、炭酸ガスを使用してｐＨ調整することを特徴する弱酸性の塩素系殺菌水の製造方法。
【請求項３】
塩素を有効成分とする弱酸性の塩素系殺菌水の製造方法であり、次亜塩素酸水溶液を炭酸ガスを使用してｐＨ調整することを特徴とする弱酸性の塩素系殺菌水の製造方法。
【請求項４】
請求項１，２または３に記載の塩素系殺菌水の製造方法において、炭酸ガスとしてガスボンベに収納されている炭酸ガスを採用することを特徴とする弱酸性の塩素系殺菌水の製造方法。
【請求項５】
請求項４に記載の塩素系殺菌水の製造方法において、炭酸ガスをバブリングして各被ｐＨ調整水溶液に供給することを特徴とする弱酸性の塩素系殺菌水の製造方法。
【請求項６】
請求項１，２または３に記載の塩素系殺菌水の製造方法において、炭酸ガスとしてドライアイスを採用することを特徴とする弱酸性の塩素系殺菌水の製造方法。
【請求項７】
請求項１に記載の塩素系殺菌水の製造方法を実施する製造装置であり、食塩水である被電解水を収容する調製タンクと、同調製タンクから供給される被電解水を無隔膜電解する無隔膜電解槽と、前記調製タンク内に炭酸ガスを供給して同調製タンク内に収容されている食塩水のｐＨを調整するｐＨ調整手段を備えていることを特徴とする弱酸性の塩素系殺菌水の製造装置。
【請求項８】
請求項２に記載の塩素系殺菌水の製造方法を実施する製造装置であり、食塩水である被電解水を収容する収容タンクと、同収容タンクから供給される被電解水を無隔膜電解する無隔膜電解槽と、無隔膜電解にて生成された電解生成水を収容する調製タンクと、同調製タンク内に炭酸ガスを供給して同調製タンク内に収容されている電解生成水のｐＨを調整するｐＨ調整手段を備えていることを特徴とする弱酸性の塩素系殺菌水の製造装置。
【請求項９】
請求項３に記載の塩素系殺菌水の製造方法を実施する製造装置であり、次亜塩素酸水溶液を収容する収容タンクと、希釈用水を収容する調製タンクと、同調製タンク内に炭酸ガスを供給して同調製タンク内に収容されている希釈用水のｐＨを調整するｐＨ調整手段と、前記調製タンク内でｐＨ調整された希釈用水と前記収容タンク内の次亜塩素酸水溶液を合体させる合体手段を備えていることを特徴とする弱酸性の塩素系殺菌水の製造装置。
【請求項１０】
請求項１，２または３に記載の塩素系殺菌水の製造方法により製造される殺菌水であり、ｐＨが４〜５．５、有効塩素量が２５ｐｐｍ以上で、炭酸ガスが溶存していることを特徴とする弱酸性の塩素系殺菌水。
【手続補正３】
【補正対象書類名】明細書
【補正対象項目名】０００１
【補正方法】変更
【補正の内容】
【０００１】
【発明の属する技術分野】
本発明は、弱酸性の塩素系殺菌水、同殺菌水の製造方法および製造装置に関する。


【手続補正４】
【補正対象書類名】明細書
【補正対象項目名】００１０
【補正方法】変更
【補正の内容】
【００１０】
【課題を解決するための手段】
本発明は、塩素を有効成分とする弱酸性の塩素系殺菌水の製造方法および同殺菌水に関するもので、その第１の製造方法は、食塩水を被電解水として無隔膜電解するのに先だって、炭酸ガスを使用して前記被電解水のｐＨを調整し、ｐＨ調整された被電解水を無隔膜電解することを特徴するものであり、また第２の製造方法は、食塩水を被電解水とする無隔膜電解にて生成された電解生成水を、炭酸ガスを使用してｐＨ調整することを特徴するものであり、さらにまた第３の製造方法は、次亜塩素酸水溶液を炭酸ガスを使用してｐＨ調整することを特徴とするものである。  これらの製造方法においては、炭酸ガスとしてガスボンベに収納されている炭酸ガス、またはドライアイスを採用することができ、ガスボンベ中の炭酸ガスを採用する場合には、炭酸ガスをバブリングして各被ｐＨ調整水溶液に供給することが好ましい。本発明に係る殺菌水は、これの製造方法にて製造される殺菌水であり、ｐＨが４〜５．５、有効塩素量が２５ｐｐｍ以上で、炭酸ガスが溶存していることを特徴とするものである。
【手続補正５】
【補正対象書類名】明細書
【補正対象項目名】００１１
【補正方法】変更
【補正の内容】
【００１１】
また、本発明は、塩素を有効成分とする弱酸性の塩素系殺菌水を製造するための製造装置である。本発明に係る第１の製造装置は、本発明に係る第１の製造方法を実施する装置であって、食塩水である被電解水を収容する調製タンクと、同調製タンクから供給される被電解水を無隔膜電解する無隔膜電解槽と、前記調製タンク内に炭酸ガスを供給して同調製タンク内に収容されている食塩水のｐＨを調整するｐＨ調整手段を備えていることを特徴とするものである。また、本発明に係る第２の製造装置は、本発明に係る第２の製造方法を実施する装置であって、食塩水である被電解水を収容する収容タンクと、同収容タンクから供給される被電解水を無隔膜電解する無隔膜電解槽と、無隔膜電解にて生成された電解生成水を収容する調製タンクと、同調製タンク内に炭酸ガスを供給して同調製タンク内に収容されている電解生成水のｐＨを調整するｐＨ調整手段を備えていることを特徴とするものである。また、本発明に係る第３の製造装置は、本発明に係る第３の製造方法を実施する装置であって、次亜塩素酸水溶液を収容する収容タンクと、希釈用水を収容する調製タンクと、同調製タンク内に炭酸ガスを供給して同調製タンク内に収容されている希釈用水のｐＨを調整するｐＨ調整手段と、前記調製タンク内でｐＨ調整された希釈用水と前記収容タンク内の次亜塩素酸水溶液を合体させる合体手段を備えていることを特徴とするものである。
【手続補正６】
【補正対象書類名】明細書
【補正対象項目名】００１５
【補正方法】変更
【補正の内容】
【００１５】
本発明に係る各製造方法は、本発明に係る各製造装置を使用して容易に実施することができ、また、本発明に係る各製造方法によって、本発明に係る殺菌水を容易に製造することができる。本発明に係る各製造方法においては、ｐＨ調整剤として一般に入手の容易な炭酸ガスを採用しており、炭酸ガスとしてはガスボンベに収容されている炭酸ガスまたはドライアイスを採用することができるが、ドライアイスを採用する場合には、炭酸ガスボンベが不要で炭酸ガス源の運搬が容易であるとともに、ドライアイスを被ｐＨ調整水溶液に添加する場合には、ｐＨを調整された水溶液の水温が低下して有効塩素濃度を長時間安定して保持することができるという利点がある。


【手続補正７】
【補正対象書類名】図面
【補正対象項目名】図１
【補正方法】変更
【補正の内容】
【図１】
1998024294.tif 000001
【手続補正８】
【補正対象書類名】図面
【補正対象項目名】図４
【補正方法】変更
【補正の内容】
【図４】
1998024294.tif 000002